(57)【要約】【課題】  乳児が歯を上下左右に自由に動かすことができる歯がためを提供する。歯がため１１の突出部１４の縁部は、歯がため１１の中心側に向けて円弧状に湾曲した凹部１４ａを形成している。また、突出部１４の表面には、例えば、幼児が口に咥えた際に、幼児の上顎歯列が位置する上顎歯列用溝２０が形成されている。また、突出部１４の裏面には、下顎歯列が位置する下顎歯列用溝２２が形成されている。
2010116638.tif 000002
【特許請求の範囲】
【請求項１】
使用者が噛むことができる被噛部を備え、
前記被噛部に使用者の歯列を案内するガイド溝が形成されている
歯がため。
【請求項２】
前記ガイド溝が、前記被噛部の縁側から内側に向けて張り出した円弧状の軌道を描くように形成されている
請求項１に記載の歯がため。
【請求項３】
前記被噛部の縁に、前記使用者の舌が位置し得るように湾曲した凹部が形成されている
請求項１または請求項２に記載の歯がため。
【請求項４】
前記使用者の上顎の歯列をガイドする第１の前記ガイド溝と、
前記使用者の下顎の歯列をガイドする第２の前記ガイド溝と
前記被噛部に円弧状の軌跡を描くように形成されている
請求項１〜３のいずれかに記載の歯がため。
【請求項５】
前記第２のガイド溝と前記被噛部の縁との間に、前記使用者の舌が位置し得るように窪んだ面が形成されている
請求項４に記載の歯がため。
【請求項６】
前記第１のガイド溝と前記第２のガイド溝とは、前記被噛部の縁から同じ位置に形成されている
請求項４または請求項５に記載の歯がため。
【請求項７】
前記第２のガイド溝が前記第１のガイド溝に比べて前記被噛部の縁に近い位置に形成されている
請求項４または請求項５に記載の歯がため。
【請求項８】
前記第１のガイド溝と前記第２のガイド溝の横断面形状は略同じである
請求項４または請求項５に記載の歯がため。
【請求項９】
前記第１のガイド溝と前記第２のガイド溝の横断面形状は異なる
請求項４または請求項５に記載の歯がため。
【請求項１０】
前記第１のガイド溝から前記被噛部の縁側に向かって広がる第１の面と、
前記第１のガイド溝から前記被噛部の内側に向かって広がる第２の面と
を有し、
前記第１の面は前記第２の面に比べて、前記第１のガイド溝の最深部から高い位置に形成される
請求項４に記載の歯がため。
【請求項１１】
裏面に形成された前記第２のガイド溝の前記被噛部の縁側の端部付近から、前記第１のガイド溝が形成された表面に向けて傾斜した面を有する
請求項４に記載の歯がため。
【請求項１２】
前記ガイド溝の中央部の深さが、周辺部の深さに比べて浅い
請求項１〜１１のいずれかに記載の歯がため。
【発明の詳細な説明】
【技術分野】
【０００１】
本発明は、幼児が噛んだときに、幼児の歯に所定の感触を与えるために用いられる歯がために関するものである。
【背景技術】
【０００２】
乳児は、生後２，３か月頃から指しゃぶりをするようになる。物を握ることができるようになると、物を口のところに持っていってなめたりする。また、乳歯が生える頃には、歯茎がむずむずして違和感があるので、幼児は何かを口にいれてなめたり噛んだりしたくなるといわれている。
【先行技術文献】
【特許文献】
【０００３】
【特許文献１】特開２００４−３２１２３６号公報
【特許文献２】特開２００４−３２１２３９号公報
【発明の概要】
【発明が解決しようとする課題】
【０００４】
一般に歯がためは様々な硬さや表面の凹凸により、このような時期の乳児の唇や舌、歯茎などを刺激するために用いられている。
しかしながら、従来の歯がためは、乳児の歯列に合わせて形成されていないため、乳児が歯を上下および左右に動かす際に干渉してしまう。【０００５】
本発明はかかる事情に鑑みてなされたものであり、その目的は、乳児が歯を上下左右に自由に動かすことができる歯がためを提供することにある。
【課題を解決するための手段】
【０００６】
本発明の歯がためは、上述した従来技術の問題点を解決し、上述した目的を達成するために、使用者が噛むことができる被噛部を備え、前記被噛部に使用者の歯列を案内するガイド溝が形成されている。
本発明の歯がためでは、使用者が被噛部を噛むと、その歯列の先端がガイド溝によって案内される。【０００７】
好適には、本発明の歯がためは、前記ガイド溝が、前記被噛部の縁側から内側に向けて張り出した円弧状の軌道を描くように形成されている。
歯列の形状に対応した円弧状にガイド溝を形成することで、歯列を均等に案内できる。
好適には、本発明の歯がためは、前記被噛部の縁に、前記使用者の舌が位置し得るように湾曲した凹部が形成されている。
このような凹部を形成することで、使用者の舌の動きが妨げられることを回避できる。【０００８】
好適には、本発明の歯がためは、前記使用者の上顎の歯列をガイドする第１の前記ガイド溝と、前記使用者の下顎の歯列をガイドする第２の前記ガイド溝とが前記被噛部に円弧状の軌跡を描くように形成されている。【０００９】
好適には、本発明の歯がためは、前記第２のガイド溝と前記被噛部の縁との間に、前記使用者の舌が位置し得るように窪んだ面が形成されている。
好適には、本発明の歯がためでは、前記第１のガイド溝と前記第２のガイド溝とは、前記被噛部の縁から同じ位置に形成されている。
好適には、本発明の歯がためは、前記第２のガイド溝が前記第１のガイド溝に比べて前記被噛部の縁に近い位置に形成されている。
好適には、本発明の歯がためは、前記第１のガイド溝と前記第２のガイド溝の横断面形状は略同じである。
好適には、本発明の歯がためは、前記第１のガイド溝と前記第２のガイド溝の横断面形状は異なる。【００１０】
好適には、本発明の歯がためは、前記第１のガイド溝から前記被噛部の縁側に向かって広がる第１の面と、前記第１のガイド溝から前記被噛部の内側に向かって広がる第２の面とを有し、前記第１の面は前記第２の面に比べて、前記第１のガイド溝の最深部から高い位置に形成される。
好適には、本発明の歯がためは、裏面に形成された前記第２のガイド溝の前記被噛部の縁側の端部付近から、前記第１のガイド溝が形成された表面に向けて傾斜した面を有する。
【発明の効果】
【００１１】
本発明によれば、歯列の先端を案内するガイド溝を形成したことで、乳児が歯を上下左右に自由に動かすことができる歯がためを提供することができる。
【図面の簡単な説明】
【００１２】
【図１】図１Ａは歯がための斜視図、図１Ｂは歯がための平面図、図１Ｃは歯がための側面図、図１Ｄは歯がためのＸ１−Ｘ１断面図である。
【図２】図２は、図１に示す歯がためのサイズおよび寸法を説明するための図である。
【図３】図３Ａおよび図３Ｂは、図１に示す歯がための上顎歯列用溝の深さを説明するための図である。
【図４】図４は、図１に示す歯がためのサイズおよび寸法を説明するための図である。
【図５】図５は本発明の第２実施形態に係る歯がための外観図である。図５Ａは歯がための平面図、図１Ｂは歯がための側面図、図１Ｃは歯がためのＸ２−Ｘ２断面図である。
【図６】図６は本発明の第３実施形態に係る歯がための外観図である。図６Ａは歯がための平面図、図６Ｂは歯がための底面図、図６Ｃは歯がためのＸ３−Ｘ３断面図である。
【図７】図７は、本発明の第４実施形態に係る歯がための外観図である。図７Ａは歯がための平面図、図７Ｂは歯がための底面図、図７Ｃは歯がための側面図である。
【図８】図８は、本発明の第４実施形態の歯がための図７に示すＸ４−Ｘ４断面図である。
【発明を実施するための最良の形態】
【００１３】
＜第１実施形態＞
図１は、本発明の第１実施形態に係る歯がため１１の外観図である。
図１Ａは歯がため１１の斜視図、図１Ｂは歯がため１１の平面図、図１Ｃは歯がため１１の側面図、図１Ｄは歯がため１１のＸ１−Ｘ１断面図である。
図１に示すように、歯がため１１は、４つの突出部１２ａ，１２ｂ，１２ｃ，１４が放射状に突出した板状を呈している。  この４つの突出部１２ａ，１２ｂ，１２ｃ，１４は、図１Ｂに示すように、平面の周方向において、略９０度間隔で順に配置されている。ここで、突出部１２ａ，１２ｂ，１２ｃは、表面あるいは裏面に形成された凹凸形状以外の外形は同じであり、突出部１２ａ，１２ｂ，１２ｃの縁部は、外側に向けて突き出た半円弧状をしている。【００１４】
突出部１４が本発明の被噛部の一例である。この突出部１４の縁部は、歯がため１１の中心側に向けて円弧状に湾曲した凹部１４ａを形成しており、このように、突出部１４の先端部に凹部１４ａを形成したことで、歯がため１１を幼児が噛んだ状態で、凹部１４ａの内側の空間に幼児の舌が上下左右にある程度自由に動かせる状態で位置する。そのため、歯がため１１によって幼児の舌の動きが妨げられることがない。【００１５】
突出部１４の表面には、図１Ｃに示すように、幼児が口に咥えた際に、幼児の上顎歯列が位置する第１のガイド溝である上顎歯列用溝２０が形成されている。また、突出部１４の裏面には、下顎歯列が位置する第２のガイド溝である下顎歯列用溝２２が形成されている。
図１Ｃに示す突出部１４の長さＨ１は、幼児の上顎および下顎の歯列をそれぞれ上顎歯列用溝２０および下顎歯列用溝２２に当てた状態で、突出部１２ａ，１２ｃ（図１Ｂ）が幼児の顔に当たらない程度の長さに規定されている。本実施形態では、突出部１４の長さＨ１を、例えば、１４ｍｍに設定する。
歯がため１１の突出部１２ａ，１２ｃによって規定される図１Ｂに示す上下方向の幅は、幼児の口の大きさに比べて十分長く設定されており、この寸法設定により、幼児が歯がため１１を飲み込めないようになっている。【００１６】
一方、図２において、上顎歯列用溝２０は、凹部１４ａの円弧と同心円の円弧の軌跡を描くように形成されており、幼児が歯がため１１を手で持って口に入れて噛むと、上顎歯列用溝２０内に幼児の上顎の歯の先端部分が位置する。
また、下顎歯列用溝２２も凹部１４ａの円弧と同心円の円弧の軌道を描くように形成されて、この円弧の径は上顎歯列用溝２０と同じ寸法に設定されている。そして、幼児が歯がため１１を手で持って口に入れて噛むと、下顎歯列用溝２２内に幼児の下顎の歯の先端部分が位置する。
すなわち、本実施形態における歯がため１１では、上顎歯列用溝２０と下顎歯列用溝２２が同径の同心円の円弧をなすように形成されており、凹部１４ａから略等しい距離だけ離れた位置に形成されている。【００１７】
以下、上顎歯列用溝２０について図１および図２において説明する。
図１Ｄに示すように、上顎歯列用溝２０は、凹部１４ａを形成する角部を丸めた端部３２と、この端部３２からなだらかに立ち下がる傾斜部３４と、平坦部３６と、平坦部３６からなだらかに立ち上がる傾斜部３８とによって形成されている。
凹部１４ａ、端部３２、傾斜部３４、平坦部３６および傾斜部３８は、図２に示すように中心点４１を共通にする同心円の部分円弧パターンを形成している。この当該円弧パターンは、３歳児における正常な歯列の形状を基に決定されている。【００１８】
ここで、凹部１４ａの円弧パターンの半径Ｒ（１４ａ）は例えば約１２ｍｍで、平坦部３６の円弧パターンの半径Ｒ（３６）は例えば約１８ｍｍである。また、平坦部３６の幅は、例えば０．８ｍｍである。
図３は平坦部３６の深さを表す図であり、本実施形態では、例えば、平坦部３６の深さは、円弧パターンの端部から中央部に近づくに従って徐々に浅くなっている。【００１９】
ところで、「歯科学報Ｖｏｌ．７９，Ｎｏ．６  ｐ１１７−１２３」によれば、図４Ａに示す下顎歯列および図４Ｂに示す上顎歯列の例で示すように、幼児の上顎歯列および下顎歯列の各々に関して、乳中切歯の切縁の唇側縁５３，６３と、乳犬歯の切縁の唇側縁５２，６２を連ねると、略同一円周上にある。
円弧半径の平均値は、図４Ａに示す上顎歯列では約１８．６２ｍｍ、図４Ｂに示す下顎歯列では約１６．７１ｍｍとなる。
上記円弧パターンの中心は、左右方向においては上顎歯列および下顎歯列ともに略正中線５７上にある。【００２０】
上顎歯列の上記円弧パターンの中心５１ａは、前後方向においては、左側第１乳臼歯最遠心端５５を通り正中線に直行する線５５より約１．８ｍｍ前方にある。
また、下顎の円弧パターンの中心６１ａは、当該線５５の線上にある
乳側切歯については、上顎歯列では円周より下側に約０．７８ｍｍ、下側歯列では略円周上にある。
上顎歯列用溝２０および下顎歯列用溝２２の形状および寸法は、上述した図４に示す各数値等に基づいて規定されている。【００２１】
また、下顎歯列用溝２２は、図３に示すように、円弧パターンに沿って、第１乳歯最遠心端から中切歯（前歯）に近づくに従って徐々に深さが浅くなるように形成されている。
このようにすることで、前歯を自然な並びに誘導しやすくなる。【００２２】
歯がため１１の材料としては、例えば、シリコンゴム、ポリエチレンやポリプロピレン、ＴＰＥ（熱可塑性エラストマー）等の柔らかいものが用いられる。これにより、幼児が噛んでも歯に損傷を加えないようできる。
歯がため１１の材料および構成は、幼児の乳歯が生えてきたばかりの歯茎でも変形可能であり、生え始めた乳歯の噛み合いによる力に耐えられるものになっている。【００２３】
歯がため１１の使用時の作用について説明する。
幼児が手などで歯がため１１を持って突出部１４を口の中に入れる。
このとき、前述したように、幼児の上顎の歯列および下顎の歯列が、それぞれ上顎歯列用溝２０および下顎歯列用溝２２の位置に誘導され、幼児が噛むことで上顎歯列および下顎歯列の先端が上顎歯列用溝２０および下顎歯列用溝２２に合わさる。
このとき、上顎歯列用溝２０および下顎歯列用溝２２が実際の上顎歯列および下顎歯列の並びに応じた円弧パターンを有し、かつ十分な幅を有しており、さらに歯茎や歯列に干渉しない形状であることから、乳児は歯がため１１を噛んだ状態で、歯を上下左右にある程度自由に動かすことができる。【００２４】
また、歯がため１１の素材として、上述したものを用いているため、幼児が噛んだときに、幼児の歯に損傷を与えないように歯茎に刺激が与えられる。また、突出部１４の先端部が凹部１４ａとなっているので、歯がため１１を幼児が噛んだ状態で、当該幼児の舌は凹部１４ａの内側に位置することとなり、幼児の舌の動きが妨げられず、幼児は自由に舌を動かすことができる。【００２５】
以上説明したように、歯がため１１では、歯列の先端を案内する上顎歯列溝２０および下顎歯列溝２２を形成したことで、乳児が噛むことで、乳児の上下の歯茎および歯列を上顎歯列用溝２０および下顎歯列用溝２２内に配置させて歯がため訓練を行うことができる。また、上顎歯列用溝２０および下顎歯列用溝２２が実際の上顎歯列および下顎歯列の並び応じた円弧状を有し、かつ十分な幅を有しており、さらに歯茎や歯列に干渉しない形状であることから、乳児が噛んだ状態で、乳児が歯を上下左右にある程度自由に動かすことができる。【００２６】
＜第２実施形態＞
本実施形態では、第１実施形態と同様に、歯がための表面に形成された上顎歯列用溝と下顎歯列用溝とが同じパターンで対応する位置に形成されている。ただし、溝の形状が異なる。
図５は、本発明の第２実施形態に係る歯がため１１１の外観図であり、図５Ａは歯がため１１１の平面図、図５Ｂは歯がため１１１の側面図、図５Ｃは歯がため１１１のＸ２−Ｘ２断面図である。
図５に示すように、歯がため１１１は、上顎歯列用溝１２０および下顎歯列用溝１２２の形状を除いて、図１に示す歯がため１１と略同じ形状を呈している。【００２７】
すなわち、上述した第１実施形態と同様に、突出部１１４の縁には、歯がため１１１の中心側に向けて円弧状に湾曲した凹部１１４ａが形成され、突出部１１４の表面には上顎歯列用溝１２０が形成され、裏面には下顎歯列用溝１２２が形成されている。
また、上顎歯列用溝１２０は、凹部１１４ａの円弧と同心円の部分円弧パターンであり（図２参照）、幼児が歯がため１１１を手で持って口に入れて噛むと、上顎歯列用溝１２０内に幼児の上顎の歯の先端部分が位置する。一方、下顎歯列用溝１２２も凹部１１４ａの円弧と同心円の部分円弧パターンであり（図２参照）、幼児が歯がため１１１を手で持って口に入れて噛むと、下顎歯列用溝１２２内に幼児の下顎の歯の先端部分が位置する。
さらに、図５において、本実施形態における歯がため１１１では、上顎歯列用溝１２０と下顎歯列用溝１２２が同径の同心円の円弧をなすように形成されており、凹部１１４ａから略等しい距離だけ離れた位置に形成されている。【００２８】
以下、上顎歯列用溝１２０について説明する。
図５Ｃに示すように、上顎歯列用溝１２０は、凹部１１４ａを形成する角部を丸めた平坦部１３２と、平坦部１３２からなだらかに立ち下がる傾斜部１３４と、この傾斜部１３４の下端部から上記平坦部１３２と平行に配設されている平坦部１３６と、平坦部１３６からなだらかに立ち上がる傾斜部１３８とによって形成されている。凹部１１４ａ、平坦部１３２、傾斜部１３４、平坦部１３６および傾斜部１３８は、平面視において、所定の中心点を共通にする同心円の円弧パターンを形成している。この円弧パターンは、３歳児における正常な歯列の形状を基準として決定されている。【００２９】
下顎歯列用溝１２２は、上顎歯列用溝１２０と同じ形状を有している。本実施形態においては、図５Ｃに示す上顎歯列用溝１２０および下顎歯列用溝１２２の幅Ａ１は、上述した第１実施形態での上顎歯列用溝２０および下顎歯列用溝２２の幅Ａ（図１参照）に比べて広く、例えば２．２ｍｍである。
このように幅を広くすることで、より広範囲の幼児の口のサイズに対応できるという効果がある。【００３０】
＜第３実施形態＞
本実施形態では、上述した第１実施形態とは異なり、歯がための表面に形成された上顎歯列用溝と裏面に形成された下顎歯列用溝とが異なる円弧径の位置に異なる形状で形成されている場合を説明する。
図６は、本発明の第３実施形態に係る歯がため２１１の外観図であり、図６Ａは歯がため２１１の平面図、図６Ｂは歯がため２１１の底面図、図６Ｃは歯がため２１１のＸ３−Ｘ３断面図である。
図６に示すように、歯がため２１１の突出部２１４の縁部は、突出部２１２ａ，２１２ｂ，２１２ｃと同様に外方に突出した円弧形状を呈している。この突出部２１４の表面と裏面とには、それぞれに円弧パターンの上顎歯列用溝２２０および下顎歯列用溝２２２が形成されており、これらの２つの溝の位置および形状、並びにその周辺の形状が相互に異なっている。【００３１】
図６Ｃにおいて、突出部２１４の表面は、突出部２１４の縁側から歯がため２１１の中心側に向けて平坦部２３２、この平坦部２３２から下がる傾斜部２３４、および傾斜部２３４から立ち上がる傾斜部２３８、この傾斜部２３８から内側に向かって平坦部２３９が順に形成されている。ここで、この傾斜部２３４および傾斜部２３８によって上顎歯列用溝２２０が形成される。一方、平坦部２３２は、平坦部２３９に比べて上顎歯列用溝２２０の最深部から高い位置に形成されている。【００３２】
また、突出部２１４の裏面は、突出部２１４の端部から歯がため２１１の中心部に向けて傾斜部２５２、平坦部２５６、傾斜部２５８が順に形成されており、平坦部２５６および傾斜部２５８によって下顎歯列用溝２２２が形成されている。このとき、下顎歯列用溝２２２の突出部２１４の縁側（図６Ｃ中左側）は平坦部２５６によって形成されることとなるので、溝の深さはほとんどない状態となる。
ここで、上顎歯列用溝２２０と下顎歯列用溝２２２の円弧パターンは、同径（例えば、約１８ｍｍ）に設定されている。ただし、下顎歯列用溝２２２は、上顎歯列用溝２２０に比べて約２ｍｍ程度、突出部２１４の縁側（図６Ｃ中左側）にずれて形成されている。【００３３】
本実施形態における歯がため２１１によれば、下顎歯列用溝２２２が上顎歯列用溝２２０に比べて端部側に位置しているため、幼児の下顎歯列が上顎歯列より前に出てしまうことを効果的に抑制することができる。また、裏面において傾斜部２５２によって形成された空間内に舌を位置させることができるので、舌を自由に動かすことができる。さらに、下顎歯列用溝２２２の端部側が平坦部２５６であるため、幼児が下顎の歯列を広い範囲で動かすことができる。
なお、上述した実施形態においては、上顎歯列用溝２２０と下顎歯列用溝２２２とが同径の場合について説明したが、必ずしも同径である必要はなく、異なる径でもよい。【００３４】
＜第４実施形態＞
本実施形態では、上述した第３実施形態と同様に、歯がための表面に形成された上顎歯列用溝と裏面に形成された下顎歯列用溝とが異なる円弧径の位置に異なる形状で形成されている場合を説明する。
図７は、本発明の第４実施形態に係る歯がため３１１の外観図である。図７Ａは歯がため３１１の平面図、図７Ｂは歯がため３１１の底面図、図７Ｃは歯がため３１１の側面図である。また、図８は歯がため３１１の図７Ａに示すＸ４−Ｘ４断面図である。【００３５】
図７に示すように、歯がため３１１の突出部３１２ａ，３１２ｂ，３１２ｃの縁部は、外側に向けて突き出た半円弧状を呈している。一方、突出部３１４の縁部は、歯がため３１１の中心側に向けて円弧状に湾曲した凹部３１４ａが形成されている。
突出部３１４の表面と裏面とには、それぞれ部分円弧パターンの上顎歯列用溝３２０および下顎歯列用溝３２２が形成されており、これらの２つの溝の位置および形状、並びにその周辺の形状が相互に異なっている。【００３６】
図７Ａおよび図８に示すように、突出部３１４の表面には、突出部３１４の縁側から歯がため３１１の中心側（図８中右側）に向けて平坦部３３２、傾斜部３３４および傾斜部３３８が順に形成されており、傾斜部３３４および傾斜部３３８によって上顎歯列用溝３２０が形成されている。【００３７】
また、図７Ｂおよび図８に示すように、突出部３１４の裏面には、突出部３１４の縁側から歯がため３１１の中心側（図８中右側）に向けて傾斜部３５４および傾斜部３５８が順に形成されており、これらによって下顎歯列用溝３２２が形成されている。ここで、傾斜部３５４は、傾斜部３３４に比べて傾斜角度が小さく設定されている。
ここで、上顎歯列用溝３２０と下顎歯列用溝３２２の円弧パターンは、同径（例えば、約１８ｍｍ）に設定されている。ただし、下顎歯列用溝３２２は、上顎歯列用溝３２０に比べて約２ｍｍ程度、突出部３１４の縁側（図８中左側）にずれて形成されている。【００３８】
また、下顎歯列用溝３２２の溝幅（図８中左右方向長さ）は、上顎歯列用溝３２０の溝幅に比べて広く形成されている。さらに、下顎歯列用溝３２２の溝深さ（図８中上下方向長さ）は、上顎歯列用溝３２０の溝深さに比べて深く形成されている。【００３９】
以上説明したように、歯がため３１１によれば、下顎歯列用溝３２２が上顎歯列用溝３２０に比べて縁側に位置しているため、幼児の下顎歯列が上顎歯列より前に出てしまうことを効果的に抑制することができる。また、裏面において傾斜部３５８によって形成された空間内に舌を位置させることができるので、舌を自由に動かすことができる。さらに、下顎歯列用溝３２２が上顎歯列用溝３２０比べて幅が広くかつ深く形成されているため、幼児が下顎歯列を広範囲に自由に動かすことができる。【００４０】
本発明における歯がためは、上述した第１乃至第４の実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した突出部１４等に形成された上顎歯列用溝２０等および下顎歯列用溝２２等のパターンおよびサイズは、幼児の歯列に合わせて突出部１４等の縁側から内側に向けて湾曲しているものであれば、上述したものに限定されない。例えば、溝を、円弧状ではなく、楕円弧状に形成してもよい。【００４１】
また、上述した実施形態では、突出部１４等の両面に歯列用溝を形成した場合を例示したが、一方の面にのみ歯列用溝を形成してもよい。
上述した実施形態では、４つの突出部１２ａ，１２ｂ，１２ｃ，１４を備えた歯がため１１等を例示したが、突出部の数は１つ以上であれば特に限定されない。
また、上述した実施形態では、本発明の被噛部の一例として突出部１４等を例示したが、被噛部は幼児が噛むことができれば、円板の一部分等でもよく、特に限定されない。  
【産業上の利用可能性】
【００４２】
本発明は、幼児が噛んだときに、幼児の歯に所定の感触を与えるために用いられる歯がために適用可能である。+
【符号の説明】
【００４３】
１１，１１１，２１１，３１１…歯がため
１４，１１４，２１４，３１４…突出部
１４ａ，１１４ａ…凹部
２０，１２０，２２０，３２０…上顎歯列用溝
２２，１２２，２２２，３２２…下顎歯列用溝
【図１】
2010116638.tif 000003
【図２】
2010116638.tif 000004
【図３】
2010116638.tif 000005
【図４】
2010116638.tif 000006
【図５】
2010116638.tif 000007
【図６】
2010116638.tif 000008
【図７】
2010116638.tif 000009
【図８】
2010116638.tif 000010
【国際調査報告】
2010116638.tif 000011
2010116638.tif 000012
2010116638.tif 000013
2010116638.tif 000014